(57)【要約】【課題】仰臥姿勢にならないように身体を効果的かつ確実に支持することができる姿勢補助用具を提案することを目的とする。【解決手段】身体装着時に背中に位置される仰臥姿勢抑制部２と、前記仰臥姿勢抑制部２を身体に装着するためのベルト３・３とを具備し、身体に装着した状態で床面に横になった際に、床面と身体との間に仰臥姿勢抑制部２が位置されて、仰臥姿勢にならないように身体を支持する姿勢補助用具１において、前記仰臥姿勢抑制部２は、内部を中空とし空気が充填される中央層部２０及び一対の側層部２１・２１が左右方向に連結され、隣接する層部２０・２１間の連結部２３・２３に、各層部２０・２１の内部空間を連通する連通孔部２４が設けられ、横臥姿勢から仰臥姿勢に移動する際に、身体と床面との間で押圧された前記層部２０・２１の空気が前記連通孔部２４を介して他の層部２０・２１に移動されて変形する。【選択図】図１
2007097885.tif 000002
【特許請求の範囲】
【請求項１】
身体装着時に背中に位置される仰臥姿勢抑制部と、前記仰臥姿勢抑制部を身体に装着するための装着部とを具備し、身体に装着した状態で床面に横になった際に、床面と身体との間に仰臥姿勢抑制部が位置されて、仰臥姿勢にならないように身体を支持する姿勢補助用具において、
前記仰臥姿勢抑制部は、内部を中空とし空気が充填される層部が左右方向に複数連結され、隣接する層部間の連結部分に、各層部の内部空間を連通する連通孔部が設けられ、横臥姿勢から仰臥姿勢に移動する際に、身体と床面との間で押圧された前記層部の空気が前記連通孔部を介して他の層部に移動されて変形することを特徴とする姿勢補助用具。
【請求項２】
前記仰臥姿勢抑制部は、身体装着時に背中の中央に位置される中央層部と、前記中央層部の両側に連結される少なくとも一対の側層部とを具備してなり、前記中央層部は、前記側層部よりも容積が大きいことを特徴とする請求項１に記載の姿勢補助用具。
【請求項３】
身体装着時に背中に位置される仰臥姿勢抑制部と、前記仰臥姿勢抑制部を身体に装着するための装着部とを具備し、身体に装着した状態で床面に横になった際に、床面と身体との間に仰臥姿勢抑制部が位置されて、仰臥姿勢にならないように身体を支持する姿勢補助用具において、
前記仰臥姿勢抑制部は、内部を中空とし空気が充填された中央層部と、中央層部から左右方向へと徐々に容積が低減するように延出された側層部とが、内部空間が連続されるように一体形成され、横臥姿勢から仰臥姿勢に移動する際に、身体と床面との間で前記側層部が押圧され、中央層部が膨張変形することを特徴とする姿勢補助用具。
【請求項４】
前記側層部の上部に切欠き部を設けたことを特徴とする請求項２又は請求項３に記載の姿勢補助用具。
【請求項５】
前記装着部は、身体の胴回りに装着するベルト型に形成され、一端が最外側の前記層部に固定されることを特徴とする請求項１乃至請求項４のいずれかに記載の姿勢補助用具。
【請求項６】
前記仰臥姿勢抑制部は、内部空間の空気を給排気するための給排気手段が設けられることを特徴とする請求項１乃至請求項５のいずれかに記載の姿勢補助用具。
【発明の詳細な説明】
【技術分野】
【０００１】
本発明は、姿勢補助用具に関し、より詳細には、身体に装着した状態で床面に横になった際に、仰臥姿勢にならないように身体を支持するための姿勢補助用具に関する。
【背景技術】
【０００２】
床面に横になった状態では、個人差があるものの、仰臥姿勢・横臥姿勢・うつ伏せ姿勢などの体位がとられる。しかし、寝たきり状態のように長時間同じ姿勢で横になっていると、栄養不良や不潔などのために身体の一部分への血液の流れが不十分となって床ずれが生じやすい。これまでは、このような床ずれを予防するため、頻繁に体位を変えることができ横臥姿勢を維持することができるように、寝たきり状態の人に対して枕やクッション等があてがわれていた。
【０００３】
また、近年、睡眠時無呼吸症候群と呼ばれる症状が注目されている。この睡眠時無呼吸症候群とは、睡眠中に何度も息が止まってはまた息を吹き返す症状（無呼吸）の総称であり、夜間睡眠中に目が覚め、充分な睡眠ができないため昼間に眠気が強くなる等の症状をきたす。睡眠中の無呼吸は、気道を確保する筋肉が睡眠により弛緩して、舌や軟口蓋が重力の影響で落ち込んで気道を塞いでしまうために起こる。息が止まらないまでも、狭くなった気道に無理やり空気を出入りさせることで気道の周りの粘膜が振動され、これが大きないびきの原因となる。そして、このような睡眠中の無呼吸やいびきを防止するためには、横臥姿勢で睡眠するとよいとされている。これは、横向きに寝ることで、舌や軟口蓋が重力の影響を受けなくなり、気道が塞がれなくなるからである。
【０００４】
しかし、横臥姿勢は身体に負担が掛かるため、自力では長時間維持することが困難である。そのため、仰臥姿勢にならないように身体を支持して、横臥姿勢を容易に維持できる姿勢補助用具の開発が待望されているところであり、これまでにも関連する発明が多数提案されている。
【０００５】
例えば、特許文献１及び特許文献２では、クッションや塩化ビニールシート等の仰臥姿勢抑制部を、肩掛け部材やウエストベルト等によって身体に装着するように構成された姿勢補助用具が提案されている（特許文献１又は特許文献２参照）。これらに類似する構成として、特許文献３には、仰臥姿勢抑制部としてボール等の仰臥邪魔体を保持・固定するようにした姿勢補助用具が開示されている（特許文献３参照）。
【０００６】
さらに、特許文献４には、横臥姿勢を保持するために充分な大きさを有した隆起物と、隆起物の底部に関係付けられ隆起物より延出した部分に身体の荷重が掛かるベース部とで構成された姿勢補助用具が提案されている（特許文献４参照）。
【特許文献１】特開２００１−６１８７５号公報
【特許文献２】登録実用新案第３１０７７４５号公報
【特許文献３】特開２００３−３２５５６４号公報
【特許文献４】特開２００１−２９２８６７号公報
【発明の開示】
【発明が解決しようとする課題】
【０００７】
しかし、上記特許文献に開示されるような従来の姿勢補助用具では、実際に使用すると、例えば、入眠時は横臥姿勢であったものの、仰臥姿勢抑制部の形状や大きさが不十分であったり、仰臥姿勢抑制部が背中の中心からずれてしまったりして、必ずしも仰臥姿勢にならないように横臥姿勢を確実に維持することができなかった。また、装着感が悪く、寝返りを打つことができないため睡眠自体が妨げられるといった問題もあった。
【０００８】
そこで、本発明においては、前記従来の課題を解決するもので、仰臥姿勢にならないように身体を効果的かつ確実に支持することができる姿勢補助用具を提案することを目的とする。
【課題を解決するための手段】
【０００９】
本発明の解決しようとする課題は以上の如くであり、次にこの課題を解決するための手段を説明する。
【００１０】
すなわち、請求項１においては、身体装着時に背中に位置される仰臥姿勢抑制部と、前記仰臥姿勢抑制部を身体に装着するための装着部とを具備し、身体に装着した状態で床面に横になった際に、床面と身体との間に仰臥姿勢抑制部が位置されて、仰臥姿勢にならないように身体を支持する姿勢補助用具において、前記仰臥姿勢抑制部は、内部を中空とし空気が充填される層部が左右方向に複数連結され、隣接する層部間の連結部分に、各層部の内部空間を連通する連通孔部が設けられ、横臥姿勢から仰臥姿勢に移動する際に、身体と床面との間で押圧された前記層部の空気が前記連通孔部を介して他の層部に移動されて変形するものである。
【００１１】
請求項２においては、前記仰臥姿勢抑制部は、身体装着時に背中の中央に位置される中央層部と、前記中央層部の両側に連結される少なくとも一対の側層部とを具備してなり、前記中央層部は、前記側層部よりも容積が大きいものである。
【００１２】
請求項３においては、身体装着時に背中に位置される仰臥姿勢抑制部と、前記仰臥姿勢抑制部を身体に装着するための装着部とを具備し、身体に装着した状態で床面に横になった際に、床面と身体との間に仰臥姿勢抑制部が位置されて、仰臥姿勢にならないように身体を支持する姿勢補助用具において、前記仰臥姿勢抑制部は、内部を中空とし空気が充填された中央層部と、中央層部から左右方向へと徐々に容積が低減するように延出された側層部とが、内部空間が連続されるように一体形成され、横臥姿勢から仰臥姿勢に移動する際に、身体と床面との間で前記側層部が押圧され、中央層部が膨張変形することを特徴とする姿勢補助用具。
【００１３】
請求項４においては、前記側層部の上部に切欠き部を設けたものである。
【００１４】
請求項５においては、前記装着部は、身体の胴回りに装着するベルト型に形成され、一端が最外側の前記層部に固定されるものである。
【００１５】
請求項６においては、前記仰臥姿勢抑制部は、内部空間の空気を給排気するための給排気手段が設けられるものである。
【発明の効果】
【００１６】
本発明の効果として、以下に示すような効果を奏する。
【００１７】
請求項１に示す構成としたので、仰臥姿勢抑制部において仰臥姿勢に移ろうとする際の初動を抑えて横臥姿勢を保とうとする作用が働き、仰臥姿勢にならないように身体を効果的にかつ確実に支持することができる。
【００１８】
請求項２に示す構成としたので、容積の大きい中央層部が障害物の役目を果たし、より効果的に横臥姿勢を維持することができる。
【００１９】
請求項３に示す構成としたので、各層間を仕切る部材などが不要となって組立が容易となるとともに、各層部間の空気の移動がスムーズであるため、姿勢の切り換えに応じて仰臥姿勢を保持するような形状に変形させ易い。
【００２０】
請求項４に示す構成としたので、切欠き部に肩甲骨部分が位置して、腕や形の動きを阻害することがなくなり、寝心地を悪くすることがない。
【００２１】
請求項５に示す構成としたので、睡眠前の装着が容易であるとともに、装着時の肩こりや不快感がない。
【００２２】
請求項６に示す構成としたので、給排気手段によって各層部内の空気を給排気でき、層部内を排気することで、携帯性が向上するとともに保管する際にも場所を取らず取り扱いが容易である。
【発明を実施するための最良の形態】
【００２３】
次に、発明を実施するための最良の形態を説明する。
図１は本発明の姿勢補助用具の全体的な構成を示した斜視図、図２は同じく図１の姿勢補助用具の正面斜視図、図３は同じく図１の姿勢補助用具の下方斜視図、図４は姿勢補助用具の正面図、図５は同じく図４の姿勢補助用具の背面図、図６は姿勢補助用具の装着状態を表す斜視図、図７は同じく図６の姿勢補助用具の装着状態を表す図、図８は仰臥姿勢抑制部の働きを表す図、図９は別実施例の姿勢補助用具の正面図、図１０は別実施例の姿勢補助用具の装着状態を表す図である。
以下、図２において紙面上下方向を姿勢補助用具１の上下方向とする。また、姿勢補助用具１を身体に装着した際に外側に向く面を姿勢補助用具１の表面とし、身体と対向する側の面を裏面とする。
【００２４】
図１乃至図５に示すように、本実施例の姿勢補助用具１は、身体に着脱可能に構成されるとともに、身体に装着した状態で床面に横になると、床面と身体との間に位置されて、仰臥姿勢にならない身体を支持するように構成されている。具体的には、身体装着時に背中に位置される仰臥姿勢抑制部２と、この仰臥姿勢抑制部２を身体に装着するための一対のベルト３・３等とで構成されている。
【００２５】
仰臥姿勢抑制部２は、全体として平面視略矩形に形成され、上下両端部に上水平部２ａ及び下水平部２ｂが形成され、左右両側部下方から上方に向けて幅方向に狭まるようにテーパ状の切欠き部２ｃ・２ｃが形成されて、上水平部２ａより下水平部２ｂの方が幅方向に長くなるように形成されている。このような形状とすることで、身体に装着しても、丁度切欠き部２ｃ・２ｃが腋や上腕の下方に位置されて、腕の可動を妨げることがなく、装着時の不快感を低減することができる。また、下水平部２ｂの幅方向長さを確保することができるため、身体にしっかりと装着することができ、装着時のずれを防止することができる。但し、後述するように、この仰臥姿勢抑制部２の形状は、特に限定されない。
【００２６】
また、仰臥姿勢抑制部２は、左右方向に複数の層部（本実施例では３つ）が連なるように連結されており、左右方向中央部に中央層部２０が形成され、この中央層部２０の左右両側に側層部２１・２１がそれぞれ連結されている。側層部２１・２１は、中央層部２０側とは反対の側に取付部２２・２２が形成され、この取付部２２・２２にベルト３・３の一端がそれぞれ取り付けられている。
【００２７】
中央層部２０及び側層部２１・２１は、素材としてゴム等の伸縮性を有する非通気性の薄膜材料が用いられ、かつ、それぞれの内部が中空の袋体となるように成形されている。そして、中央層部２０及び側層部２１・２１は、空気が充填されると膨張されるように形成されており、内部空間に空気が充填されて自由状態つまり内部が大気圧の状態で膨張される（図１乃至図３参照）。また、中央層部２０と隣接する側層部２１・２１との境界部分には、上下方向に沿って連結部２３・２３が形成され、この連結部２３・２３を介して中央層部２０の両側に側層部２１・２１が接続されている。
【００２８】
連結部２３・２３の上下中途部には、隣接する中央層部２０及び側層部２１・２１の内部空間を連通させる連通孔部２４・２４が設けられている（図４及び図５参照）。つまり、中央層部２０及び側層部２１・２１に充填された空気は、連結部２３・２３を介して各層間を自在に移動可能とされている。本実施例では、中央層部２０及び側層部２１・２１は、上述したように伸縮性を有する素材により形成されるため、予め充分な空気が充填されて中央層部２０及び側層部２１・２１が膨張されていても、空気圧を受けて伸縮して容積が増減されるように構成されている。つまり、本実施例では、隣接する層部２０・２１から連通孔部２４・２４を介して内部空気が移動されることにより、各層部２０・２１の容積が空気圧によって増減されるように構成されている。
【００２９】
中央層部２０の表面下部であって左右方向略中央に、内部空間へ空気を給排給するための給排気手段としての給排気筒４が一体に取り付けられている。給排気筒４は、中央層部２０の内部を外部空間と連通する通気孔が穿設され、一端側に鍔が設けられるとともに、栓が挿脱可能に取り付けられている。この給排気筒４を介して中央層部２０内に空気が送られると、中央層部２０から連通孔部２４・２４を介して側層部２１・２１内に空気が供給される。中央層部２０及び側層部２１・２１内に空気が供給された状態で通気孔に栓を装着したときに、中央層部２０及び側層部２１・２１は、それぞれが膨張した状態で維持される。
【００３０】
中央層部２０に空気が充填された状態では、中央層部２０は断面略楕円形の棒状に膨張される。側層部２１・２１に空気が充填された状態では、上方の先細りした部分にまで空気が充填されて膨張される。そして、中央層部２０は、側層部２１・２１よりも容積が大きくなるように構成されている。
【００３１】
給排気筒４を介して中央層部２０及び側層部２１・２１内の空気を排気するときは、上述した空気供給とは逆プロセスによって強制的に排気すなわち脱気される。そして、中央層部２０及び側層部２１・２１内から空気が脱気された状態で通気孔に栓を装着したときに、中央層部２０及び側層部２１・２１が脱気した状態（表面が平坦になる状態）で維持される。この状態の姿勢補助用具１は、コンパクトに自在に折りたたむことができる。このように、本実施例の姿勢補助用具１は、給排気筒４によって中央層部２０及び側層部２１・２１内の空気を給排気可能に構成されているため、携帯性が向上するとともに保管する際にも場所を取らず取り扱いが容易である。
【００３２】
さらに、仰臥姿勢抑制部２は、側層部２１・２１が連結部２３・２３から前後に可動されて中央層部２０に対する相対位置を変位させることができるように構成されている（図３参照）。仰臥姿勢抑制部２は、中央層部２０に対する側層部２１・２１の相対位置を変位させることで、全体として背中の断面形状に沿って表面が凸状となるように緩やかに湾曲させ、さらには側層部２１・２１の取付部２２・２２を近づけたり遠ざけたりして個人差に応じてその曲率を変更できるため、姿勢補助用具１を身体に装着した際のフィット感を向上させ、ずれを効果的に防止できる。
【００３３】
ベルト３・３は、帯状に形成されており、一端が上述した取付部２２・２２に固定され、他端が取付部２２・２２から中央層部２０の上下方向の中心軸に対して直交する方向に略水平に延設される。そして、各ベルト３・３は、貼付・剥離を繰り返し行うことができるシート状の連結部材３０・３０が他端側に取り付けられ（図４及び図５参照）、この連結部材３０・３０同士が貼付されることで、平面視環状に連結される（図７参照）。なお、連結部材３０としては、例えばバックルや面状ファスナー等、ベルト３・３の遊端側を連結可能なものであれば特に限定されず、連結位置を調節可能としたものがより好ましい。本実施例では、連結部材３０・３０にシール面を設けて、ベルト３・３の任意の位置に取り付けることができるように構成されている。このような構成とすることで、姿勢補助用具１を装着する個人の身体的特徴に応じたベルト３・３の長さとすることができる。
【００３４】
仰臥姿勢抑制部２の裏面であって、中央層部２０、側層部２１・２１及びベルト３・３の固定側端部のそれぞれに滑り止め部材２６・２６・・・が取り付けられている（図５参照）。この滑り止め部材２６は、スポンジ素材や、表面の摩擦係数が大きいゴム素材などから形成される。滑り止め部材２６の形状や取付位置は、特に限定されないが、姿勢補助用具１を身体に装着した際に、身体表面と密接可能な形状や位置に取り付けられる。
【００３５】
次に、姿勢補助用具１の使用状態について、以下に説明する。
図６及び図７に示すように、姿勢補助用具１は、各層部２０・２１に空気を充填した状態で、各層部２０・２１の空気圧がほぼ同じくなるように膨張され、仰臥姿勢抑制部２の上水平面２ａを上にして、裏面が身体の背中に当接される。その際、中央層部２０が背中の左右中央部に位置される。つまり、上水平部２ａが左右の肩甲骨の間に位置する。ベルト３・３は、身体の腰上方に位置され、身体前方に延出して連結部材３０・３０にて連結され、仰臥姿勢抑制部２の裏面に取り付けられた滑り止め部材２６・２６・・・が身体（背中）に密着される。このようにして、姿勢補助用具１が身体に装着される。
【００３６】
仰臥姿勢抑制部２の大きさは、成人男性が装着した時に下水平部２ｂが腰若しくは臀部上方に位置し、切欠き部２ｃ・２ｃが腋下方に位置となる大きに形成されている。ただし、この仰臥姿勢抑制部２の大きさは、個人（例えば、男女の差、大人子供の差など）に応じて、数種類の型を用いることができる。
【００３７】
図８（ａ）に示すように、姿勢補助用具１を装着した状態で横になった（横臥姿勢になった）際には、仰臥姿勢抑制部２が床面に対して略垂直となるように位置される。その際、床面に近い側の側層部２１が、床面に押し付けられて容積が低減して変形される。
【００３８】
図８（ｂ）に示すように、横臥姿勢から仰臥姿勢へと姿勢が移ろうとする際には、床面と身体との間に側層部２１が位置され、すなわち、身体が側層部２１に乗る形となる。その際、側層部２１が床面と身体との間で押圧されて内部の空気が側層部２１に隣接する中央層部２０若しくは他方の側層部２１へと移動され、この側層部２１の容積が低減するとともに、中央層部２０及び他方の側層部２１の容積が増大するように変形される。
【００３９】
図８（ｃ）に示すように、図８（ｂ）に示す状態からさらに仰臥姿勢へと姿勢が移ろうとする際には、身体が側層部２１に乗った状態から中央層部２０の上に背中の中央部が乗りかかる。この状態において、中央層部２０は、側層部２１からの空気が充填されて容積が増大されていることから、この中央層部２０が仰臥姿勢に移ろうとする際の妨げ（障害）となって、身体は自然と横臥姿勢（図８（ａ）又は図８（ｂ））へと戻ろうとする。
【００４０】
以上のように、本実施例の姿勢補助用具１は、装着した状態で横になり、横臥姿勢から仰臥姿勢へと移ろうとする際に、身体と床面との間で押圧された層部２０・２１の空気が連通孔部２４を介して他の層部２０・２１に移動されて変形するため、仰臥姿勢抑制部２において仰臥姿勢に移ろうとする際の初動を抑えて横臥姿勢を保とうとする作用が働き、仰臥姿勢にならないように横臥姿勢で身体を確実に支持することができる。また、仰臥姿勢抑制部２が、空気が充填された層部２０・２１より形成されるため、横臥姿勢を無理に維持するのではなく寝返りを打つことも可能となり、装着することによる不快感や睡眠自体が妨げられるといった弊害を防止できる。さらに、姿勢変更に応じて身体が側層部２１に乗る形となるため、横臥姿勢を安定できる。
【００４１】
特に、本実施例では、身体と床面との間で仰臥姿勢抑制部２が押圧されると、床面に近い側の側層部２１の容積が低減し、床面から遠い側の中央層部２０及び側層部２１の容積が増大されるため、姿勢変更に応じて仰臥姿勢抑制部２が自然に変形されて、容積が増大した中央層部２０及び側層部２１が横臥姿勢を維持するための障害物となる。つまり、身体の寝返り（姿勢変更）に応じて仰臥姿勢抑制部２が変形して、層部２０・２１間で内部空気が移動され、容積が増大した中央層部２０が障害物の役目を果たして身体が元の姿勢（横臥姿勢）へと自然に戻るように作用して、横臥姿勢を確実に維持することができる。特に、本実施例では、中央層部２０の容積が側層部２１の容積よりも大きいため、より効果的に横臥姿勢を維持することができるのである。
【００４２】
また、姿勢補助用具１は、ベルト３・３によって身体の胴回りに装着するように構成しているため、肩掛けベルト等のリュック型とは異なり、仰臥姿勢抑制部２のずれを防止しつつ、睡眠前の装着が容易であるとともに、装着時の肩こりや不快感がない。但し、姿勢補助用具１の装着部としては、ベルト３・３の他に肩ひもを設けてリュック型に構成したものでもよい。
【００４３】
なお、本実施例の姿勢補助用具１は、仰臥姿勢抑制部２が中央層部２０とその両側方に連結された一対の側層部２１・２１の三層に区画されて構成されているが、この構成に限定されず、より多くの層部に区画してもよい。但し、背中の左右中央に位置される中央層部２０は必ず設けるのが好ましく、本実施例に示したように、少なくとも中央層部２０に対して左右一対の側層部２１・２１が設けられるのが好ましい。
仰臥姿勢抑制部２は、複数の袋体からなる層部２０・２１が左右方向に連結されて構成されてもよく、一の袋体を連結部２３・２３・・・で区画するようにして層部２０・２１を設けて構成されてもよい。
姿勢補助用具１の装着位置は、上述したように、装着した時に下水平部２ｂが腰若しくは臀部上方に位置するだけでなく、この装着位置を逆にして上水平部２ａが腰若しくは臀部上方に位置するようにして装着してもよい。つまり、装着方法は、個人の装着感に合わせて適宜調節変更することができる。また、身体の大きさや体重等に応じて姿勢補助用具１に入れる空気の量を調節することで、最も安定した横臥姿勢に調節することもできる。
【００４４】
また、図９に示すように、連結部２３・２３に連通孔部２４・２４を設ける代わりに、連結部２３・２３に沿って、ゴム等の伸縮性を有する非通気性を有する素材より形成された仕切り部材３１・３１を仰臥姿勢抑制部２の内部空間に配置してもよい。この仕切り部材３１・３１は、中央層部２０と側層部２１・２１との内部空間を仕切るように配設され、仕切り部材３１・３１を左右方向に貫通する連通孔部１２４・１２４・・・が長手方向に沿って複数穿設されている。上述した実施例と同様に、この仕切り部材３１・３１の連通孔部１２４・１２４・・・を介して隣接する層部２０・２１から内部空気が移動されることにより、各層部２０・２１の容積が空気圧によって増減されるように構成される。仕切り部材３１・３１としては、仰臥姿勢抑制部２の各層部２０・２１と同じ素材により形成することができる。
【００４５】
このように仕切り部材３１・３１を設けることで、連通孔部１２４・１２４にかかる負荷による破損を低減できる。すなわち、連通孔部２４・１２４には各層部２０・２１間を移動する空気圧によって大きな負荷がかかるが、この連通孔部１２４を単一部材である仕切り部材３１に穿設することで、かかる負荷に耐えうる構造とすることができる。
【００４６】
さらに、図１０に示すように、仰臥姿勢抑制部１０２において、中央層部１２０から左右方向へと徐々に容積が低減して断面視略三日月形状となるように側層部１２１が延出されて、全体として中央層部１２０と側層部１２１とが一体形成されるように構成されてもよい。すなわち、上述した実施例と異なり、中央層部２０と側層部２１との内部空間が連続されるように、つまり連結部２３や連通孔部２４・１２４等が設けられることなく一体に連結して形成されている。この仰臥姿勢抑制部１０２は、表面と裏面との断面の曲率が異なるように（表面の曲率が大きくなるように）円弧状に湾曲形成され、左右方向略中央の容積が一番大きくなるように形成され、身体へのフィット感が高められるとともに仰臥姿勢への抑制力が向上されている。ベルト３は、延出された中央層部１２０の左右端部と接続されている。
【００４７】
このように、仰臥姿勢抑制部１０２は、中央層部１２０を左右方向に延出して単一部材からなるように形成することで、上述した連結部２３や仕切り部材３１等が不要となって組立が容易となる。また各層部間の空気の移動がスムーズとなって、姿勢の切り換えに応じて仰臥姿勢を保持するような形状に弾性変形させ易い。
【図面の簡単な説明】
【００４８】
【図１】本発明の姿勢補助用具の全体的な構成を示した斜視図。
【図２】同じく図１の姿勢補助用具の正面斜視図。
【図３】同じく図１の姿勢補助用具の下方斜視図。
【図４】姿勢補助用具の正面図。
【図５】同じく図４の姿勢補助用具の背面図。
【図６】姿勢補助用具の装着状態を表す斜視図。
【図７】同じく図６の姿勢補助用具の装着状態を表す図。
【図８】仰臥姿勢抑制部の働きを表す図。
【図９】別実施例の姿勢補助用具の正面図。
【図１０】別実施例の姿勢補助用具の装着状態を表す図。
【符号の説明】
【００４９】
１    姿勢補助用具
２    仰臥姿勢抑制部
３    ベルト（装着部）
４    給排気筒（給排気手段）
２０    中央層部
２１    側層部
２３    連結部
２４    連通孔部
【図１】
2007097885.tif 000003
【図２】
2007097885.tif 000004
【図３】
2007097885.tif 000005
【図４】
2007097885.tif 000006
【図５】
2007097885.tif 000007
【図６】
2007097885.tif 000008
【図７】
2007097885.tif 000009
【図８】
2007097885.tif 000010
【図９】
2007097885.tif 000011
【図１０】
2007097885.tif 000012